(57)【要約】【課題】機構板の開放又は取外しを容易とすると共に、前面枠の閉鎖時には機構板の撓みを確実に防止するパチンコ遊技機を提供する。【解決手段】方形枠状の機枠１の前面に開閉自在に設けられる前面枠２と、前記前面枠２の裏面側に着脱可能に設けられる機構板１１とを備え、前記機枠１に対し前面枠２を閉じることで前記機構板１１が該機枠１内に収納されるパチンコ遊技機であって、前記前面枠２の閉鎖時に前記機構板１１の周縁部後面に当接する衝止片１３ａを前記機枠１内面に突設した。【選択図】図５
2005204842.tif 000002
【特許請求の範囲】
【請求項１】
方形枠状の機枠の前面に開閉自在に設けられる前面枠と、前記前面枠の裏面側に着脱可能に設けられる機構板とを備え、前記機枠に対し前面枠を閉じることで前記機構板が該機枠内に収納されるパチンコ遊技機であって、
前記前面枠の閉鎖時に前記機構板の周縁部後面に当接する衝止片を前記機枠内面に突設したことを特徴とするパチンコ遊技機。
【請求項２】
方形枠状の機枠の前面に開閉自在に設けられる前面枠と、前記前面枠の裏面側に着脱可能に設けられる機構板と、前記機枠に設けられる係合部材に係止して前記前面枠の自由端を施錠する施錠装置とを備え、前記機枠に対し前面枠を施錠することで前記機構板が該機枠内に収納されるパチンコ遊技機であって、
前記前面枠の施錠時に前記機構板の周縁部後面に当接する衝止片を前記係合部材に一体的に設けたことを特徴とするパチンコ遊技機。
【請求項３】
前記衝止片に弾性を付与して前面枠の閉鎖時に機構板を前方に押圧させるようにしたことを特徴とする請求項１又は２記載のパチンコ遊技機。
【請求項４】
前記衝止片を機枠に着脱自在に設けたことを特徴とする請求項１乃至３のいずれかに記載のパチンコ遊技機。
【発明の詳細な説明】
【技術分野】
【０００１】
本発明は、遊技盤の裏面に機構板が開閉又は着脱自在に装着されるパチンコ遊技機に関するものである。
【背景技術】
【０００２】
従来のパチンコ球を使用する遊技機は、機枠の前面に開閉自在に設けられる前面枠に遊技盤を装着する取付枠が設けられ、その裏面側に球タンク，球払出装置等の裏機構部品を備えた機構板が開閉又は着脱自在に装着されている。そして、機構板は遊技盤の裏面に密着させるように、複数個所に設けられる係止具を作用させて遊技盤取付枠に押圧固定するように構成されていた。
【０００３】
また、上記したパチンコ遊技機にあっては、特に機構板の上部にパチンコ球が貯留される球タンクが設けられていることから、該球タンクに貯留されるパチンコ球の球重量によって機構板の上部が後方へ反ったり撓んだりして、その歪みにより球タンクのパチンコ球を球払出装置へ導く球誘導樋等で球止りが発生して、パチンコ球の払出し動作に支障を及ぼすという問題が発生する。そのため、確実にその撓みを防止するように、機構板の周縁上部に係止具を設けて固定するようにしていた（例えば、特許文献１参照。）。
【特許文献１】特開平７−２３６７５２号公報
【発明の開示】
【発明が解決しようとする課題】
【０００４】
しかしながら、機構板に数多くの係止具が複数箇所に設けられていることから、機構板を開放又は取外す際には、複数の係止具を操作解除するのが面倒であり、一部の係止具を係止解除し忘れることがあり、機構板の開放又は取外しに手間がかかっていた。また、係止具の係脱を簡単にすると、パチンコ球の球荷重により機構板が撓んで係止具が簡単に外れてしまうことがあり、係止具の用をなさないものとなっていた。
【０００５】
そこで、本発明の目的は、上記課題を解決し、機枠に前面枠が閉鎖されたパチンコ遊技機の使用状態で、機構板の反り・撓みを確実に防止するパチンコ遊技機を提供しようとするものである。
【課題を解決するための手段】
【０００６】
上記課題を解決するために、請求項１記載の発明は、方形枠状の機枠の前面に開閉自在に設けられる前面枠と、前記前面枠の裏面側に着脱可能に設けられる機構板とを備え、前記機枠に対し前面枠を閉じることで前記機構板が該機枠内に収納されるパチンコ遊技機であって、前記前面枠の閉鎖時に前記機構板の周縁部後面に当接する衝止片を前記機枠内面に突設したことを特徴とする。ここでいう「周縁部」とは必ずしも機構板自体の端部とは限らず、機構板の周縁部に位置する球タンク等の裏機構部品をも含む。また、機構板は１枚ものであっても複数に分割形成されたものであってもよく、該機構板に裏機構部品として必ずしも球タンクを設けなくてもよい。また、ここでいう「パチンコ遊技機」とは、遊技媒体としてパチンコ球を使用して遊技をするものであり、所謂パチンコ球を弾いて遊技をするアレパチ等の「弾球遊技機」の他に、コインの替わりにパチンコ球を賭球として回収し遊技をする「スロット遊技機」を含むものである。
【０００７】
請求項２記載の発明は、方形枠状の機枠の前面に開閉自在に設けられる前面枠と、前記前面枠の裏面側に着脱可能に設けられる機構板と、前記機枠に設けられる係合部材に係止して前記前面枠の自由端を施錠する施錠装置とを備え、前記機枠に対し前面枠を施錠することで前記機構板が該機枠内に収納されるパチンコ遊技機であって、前記前面枠の施錠時に前記機構板の周縁部後面に当接する衝止片を前記係合部材に一体的に設けたことを特徴とする。前記係合部材は、前記前面枠の施錠時に前記機構板の周縁部後面に当接させるように機枠に設けられる。
【０００８】
請求項３記載の発明は、請求項１又は２記載の発明において、前記衝止片に弾性を付与して前面枠の閉鎖時に機構板を前方に押圧させるようにしたことを特徴とする。衝止片に弾性を付与する手段として、材質の特性により弾性を付与するようにしても、別途衝止片を前方に付勢する弾性体を付加するようにしてもよい。この弾性体としては、例えばスプリング，ゴム，スポンジ等である。このように、衝止片に弾性を付与することで、機構板をより遊技盤に圧接させることができる。
【０００９】
請求項４記載の発明は、請求項１乃至３のいずれかに記載の発明において、前記衝止片を機枠に着脱自在に設けたことを特徴とする。衝止片を着脱自在に設けることにより、破損しても簡単に交換ができ、しかも機種ごとに最適な衝止片を取着することができる。好ましくは、任意に衝止片の取付位置が変更できるように取着部を設けるのがよく、衝止片の取着位置を変更するだけで衝止片を何種類も作る必要がなく経済的である。
【００１０】
また、前記衝止片を機枠の角部に設けられる補強板又はヒンジ機構の金具に一体に設けるのが好ましく、製造コストを低減させると共に取付け作業も容易となる。
【００１１】
前記衝止片を機枠と共に一体に形成するのが好ましく、このとき機枠は金属であっても合成樹脂であってもよい。
【発明の効果】
【００１２】
本発明によれば、前面枠が機枠に対して閉止された状態で機構板の周縁部後面に当接する衝止片を機枠に設けることによって、特に前面枠を閉鎖した状態で機構板の反りによる球誘導樋等における球止まりを確実に防止することができる。また、衝止片を適宜位置に設けることにより機構板を直接係止する係止具を少なくすることができ、機構板を開放又は取外す際には簡単に機構板の係止を解除することができて作業性がよくなる。しかも、前面枠に対し仮止め程度の係止状態でよく、係止具の構造を簡単にすることができる。
【実施例１】
【００１３】
次に、本発明の一実施例を図面を参照して説明する。図１はパチンコ遊技機の正面図、図２はパチンコ遊技機の裏面図である。図において、１は方形枠状に形成されたパチンコ遊技機の機枠、２は上下一対のヒンジ機構３により前記機枠１の前面に開閉自在に装着される前面枠であり、該前面枠２の裏面側に設けられる遊技盤取付枠４に遊技盤５が着脱自在に取着され、該遊技盤５は前面枠２の前面に開閉自在に設けられるガラス扉枠６を介して視認し得るように設けられる。さらに、ガラス扉枠６の下方には前板９を介して打球供給皿７が該打球供給皿７の余剰球を貯留する余剰球受皿８と共に一体に設けられている。そして、前記余剰球受皿８の側方にパチンコ球の打力を調整する操作ハンドル１０が設けられている。また、前記前面枠２の裏面側には機構板１１が着脱可能に設けられている。
【００１４】
前記機枠１は、図３に示すように上下左右の枠板により矩形に枠組され、その下部前面に補強用の腰板１ａが横設されており、前面枠２を閉じた状態で該腰板１ａの上端面と前面枠２の下端面とが重合するように構成されている。該腰板１ａの上端面に、前記前面枠２を機枠１に閉鎖する際に該前面枠２が自重で下がる下縁を誘導し、且つ端面の摩耗を防止するガイド金具１２１が設けられている。また、機枠１の右枠板１ｂ内側面の上下位置には前面枠２を閉止状態に係止する係合部材としての受金具１２，１２が取付けられている。そして、上部枠１ｃに機構板１１の後面側への撓みを防止する金属製の押え部材１３が機枠１内面に突出するように設けられている。前記押え部材１３は、図１８に示すように金属片をほぼＺ状に屈曲して形成され、一側片は上部枠１ｃ前面に取付ける取着片１３ｂとし、他側片は上部枠１ｃ下面から垂下するように屈曲して形成され、機構板１１の周縁後面に当接する衝止片１３ａとしている。該衝止片１３ａは、前面枠２の閉鎖時に機構板１１の周縁後面に当接する位置に設けられる。
【００１５】
前記遊技盤５は、図４に示すようにほぼ方形状に形成され、前面に遊技球を案内するガイドレール１４により遊技領域５ａがほぼ円形に形成され、該遊技領域５ａに一般入賞口１５や可変表示装置１６の図柄を変動させるチューリップタイプの始動入賞口１７、また可変表示装置１６の予め設定された図柄の組合せにより開放する大入賞口１９等が設けられている。そして、前記遊技盤５の周縁の適宜位置に、該遊技盤５を遊技盤取付枠４に固定させる係止部材２０が着脱回動自在に設けられている。前記係止部材２０は、図４に示すように軸部の一端に操作部２０ａが設けられ、他端に遊技盤取付枠４の後面に係止する係止片２０ｂが、ほぼ遊技盤５の厚みを隔てて設けられている。
【００１６】
前記遊技盤取付枠４は、図４に示すように遊技盤５の下端を支持する下部側枠４ｂと、遊技盤５の上部及び左右両側をそれぞれ支持する上部側枠４ａ及び左右側枠４ｃ，４ｄとにより額縁状に形成されており、遊技盤５が取付けられる設置領域２１が前後方向に開放して形成されている。そして、前記遊技盤取付枠４の遊技盤設置領域２１の四隅後方には遊技盤５の後面を支持する支持片２２が設けられ、該支持片２２には前記係止部材２０が係止する係止孔２３が開設されている。そして、遊技盤５を遊技盤取付枠４に装着するには、係止部材２０の係止片２０ｂが遊技盤５内に収まった状態で、上部又は対角線上の操作部２０ａを摘んで遊技盤５を持ち上げ、前面側から遊技盤取付枠４の設置領域２１に臨ませて、前記支持片２２に遊技盤５の後面を当接させると共に、係止部材２０の係止片２０ｂを係止孔２３に挿通させる。この状態で、操作部２０ａを回動させると係止片２０ｂが支持片２２の後面に係止し、遊技盤５が遊技盤取付枠４に確固と取付けられる。なお、遊技盤５の取付けは、例えば遊技盤取付枠４の前面に設けられるファール樋２４の一部を可動自在設け、該ファール樋２４の一部を可動させることによりファール樋２４の一部が遊技盤５の下端に係止するようにして遊技盤５を遊技盤取付枠４に固定すると共に、ファール樋２４が使用可能な状態となるようにしてもよい。このように遊技盤取付枠４の前面に設けられるファール樋２４の一部によって遊技盤５を係止することで、係止部材２０の個数を減らすこともできる。同様に遊技盤取付枠４の前面に設けられる発射レール２５を可動自在に設けて、遊技盤５の取着時に発射レール２５を可動させて遊技盤５を取付けるようにしてもよい。
【００１７】
前記機構板１１は、球タンク２６及び球払出装置２７等の裏機構部品を備え、一側をヒンジ具２８により前面枠２に枢支して開閉及び着脱自在に設けられている。前記ヒンジ具２８は、図５に示すように前面枠２側に取着される上下固定ヒンジ部材３１と機構板１１側に取着される上下可動ヒンジ部材３２とにより構成されている。そして、前記上下固定ヒンジ部材３１は鋼やステンレス等の金属製の連結部材３３の上部及び下部に一体的に形成され、前記上下可動ヒンジ部材３２は鋼やステンレス等の金属製の補強フレーム３４の上部及び下部に一体的に形成されている。この実施例において、固定ヒンジ部材３１には軸孔３５が開設され、可動ヒンジ部材３２には前記軸孔３５に嵌挿される軸ピン３６が垂下されている。なお、ヒンジ具２８は、この実施例に限ることなく、固定ヒンジ部材３１に上向の軸ピン３６を設け、可動ヒンジ部材３２に軸孔３５を開設するようにしてもよい。また、補強フレーム３４には、後述する球払出装置２７の側壁を支持するように支持片４１が延設されており、該支持片４１により球払出装置２７を支持するのは当然のことながら、外部から不正目的で侵入する針金等の不正具によって球払出装置２７を操作して作動させ、不正にパチンコ球を獲得することを防ぐことができる。好ましくは、後述する球払出装置２７を係止固定する操作部材１２３が操作され、球払出装置２７が外されてパチンコ球を不正に獲得されることを防ぐために、支持片４１により該操作部材１２３を操作できないように覆うようにしたり、該支持片４１を屈曲させて球払出装置２７の後面を覆うようにしたりして、球払出装置２７が無用に外されないようにするのがよい。このとき、前記屈曲部を可倒式として、球払出装置２７の着脱時の作業性を向上させるのがよい。
【００１８】
一方、前記連結部材３３には、前記可動ヒンジ部材３２が接触し、前記軸ピン３６の軸線が前記軸孔３５内に位置するように位置決めするガイド部４０が、前記固定ヒンジ部材３１と所定間隔（軸ピン３６の長さ以下）を隔てて設けられ、該ガイド部４０と連結部材３３とで形成されるＬ字型のコーナー部に、可動ヒンジ部材３２を当接させることにより位置決めがなされる。なお、連結部材３３には機枠１の後面又は機枠１に形成した係合部に係止するＬ型の係止片４２を設けている。これは、前面枠２の軸支側を撓ませてその隙間から針金等の不正具を挿入して行われる不正行為を防止するためのもので、前面枠２を機枠１に対して閉鎖した際に前記係止片４２が機枠１の後面に係止して、機枠１と前面枠２との間に隙間ができないようにしている。なお、連結部材３３を遊技盤５側に臨むように折曲することで、該折曲片が遊技盤５と遊技盤取付枠４との隙間に位置し、該隙間からの不正を防止することができる。また、連結部材３３にガラス扉枠６及び打球供給皿７を開閉自在に装着するヒンジ部のヒンジ部材を一体的に設けられるようにして、前面枠２の裏面から前面枠２の前面に貫通する透孔を設け、該透孔からガラス扉枠６及び打球供給皿７のヒンジ部材を前面枠２の前面に臨ませて固定すればよい。このとき、連結部材３３に設けるヒンジ具は軸孔を有するヒンジ部材とするのが好ましく、前面枠２に開設する透孔がヒンジ部材の板厚分でよく、余分な開口を開設しなくてよいため開口から不正が行われることもない。また、前記連結部材３３に、遊技盤５の固定具の取付部を一体に設けて、該取付部に固定具を回動自在にビス着するようにしてもよい。
【００１９】
また、機構板１１の自由端は、前記前面枠２及びガラス扉枠６と共に、前面枠２の裏面に設けられる施錠装置４３によって施錠される。前記施錠装置４３は、図６及び図７に示すように前面枠２の自由端の裏面に固設されるＬ字状の基板４４と、前記基板４４の長手方向に沿って摺動自在に設けられ前面枠２及びガラス扉枠６，機構板１１を開閉するための施錠杆４５と、前記基板４４に取付けられるシリンダ錠４６と、前記シリンダ錠４６の錠軸に固着され前記施錠杆４５の摺動方向に操作力を伝達し摺動させるカム板４７とで構成されている。前記施錠杆４５には、長板状の上下部に機枠１に設けられる受金具１２に係止する上下一対の下向き鉤片４８，４８と、前記ガラス扉枠６の裏面に開口して設けられる係止部４９に係止する上向き鉤部材５０と、前記機構板１１に設けられる係合孔５１に係脱する鉤状片５２とが長孔５３ａ〜５３ｃを介して、スプリング５４ａ〜５４ｃによって常に鉤片４８，鉤部材５０，鉤状片５２を施錠方向に付勢している。前面枠２を施錠する鉤片４８は、施錠杆４５に形成した長孔５３ａに一端を軸ピン５５ａにより摺動自在に設け、スプリング５４ａにより前記長孔５３ａの下端に軸ピン５５ａが当接するように付勢している。前記長孔５３ａは、前記鉤部材５０の係合が解除される長さが選ばれる。次に、ガラス扉枠６を施錠する鉤部材５０は、施錠杆４５に形成した長孔５３ｂに一端を軸ピン５５ｂにより摺動自在に設け、スプリング５４ｂにより前記長孔５３ｂの上端に軸ピン５５ｂが当接するように付勢している。このとき、前記長孔５３ｂの長さは前記鉤片４８の解錠範囲長さと、さらに鉤状片５２の解錠範囲長さとをプラスした長さが選ばれる。また、機構板１１の自由端を係止する鉤状片５２は、一端が施錠杆４５に形成した長孔５３ｃ及び基板４４に形成したガイド長孔５６に軸ピン５５ｃを介して回動自在に設けられ、スプリング５４ｃにより前記基板４４に形成したガイド長孔５６の下端に軸ピン５５ｃが当接するように付勢している。このとき、施錠杆４５に形成された長孔５３ｃは、前記鉤部材５０及び鉤片４８の係合が解除される長さをプラスした長さとして、常には軸ピン５５ｃがガイド長孔５６の下端に位置すると共に長孔５３ｃのほぼ中央に位置している。なお、基板４４には前記機構板１１の自由端に設けられた可動係止板５７の第二係合突片５８ｂが係止する固定フック５９及び前記遊技盤５を後面を支持し圧接する弾性部材６０が取付けられる取付部が固設されている。６１は基板４４に設けられるガイド片であり、先端が機構板１１側に下傾して、機構板１１の閉鎖時に自由端側が荷重によりに下傾するのを所定位置に誘導し、前記鉤状片５２が係合孔５１に対向位置して係合しやすくするものである。６２は施錠杆４５を手で操作する操作部である。そして、鍵の操作によりカム板１６の操作力を施錠杆４５に伝達して、鉤片４８又は鉤部材５０を解錠方向に摺動させ、前面枠２及びガラス扉枠６を解錠するようにしている。なお、本実施例において、１本の施錠杆４５に前面枠２及びガラス扉枠６，機構板１１を施錠する鉤片４８，鉤部材５０，鉤状片５２を設けるようにしたが、それぞれを別の作動杆に設けるようにしてもよい。
【００２０】
前記機構板１１は遊技盤５の後面が臨む開口窓６３が開設され、該開口窓６３を閉塞するように所定高さを有するカバー部材６４が機構板１１と一体に突出形成されている。そして、機構板１１の上部ほぼ中央に、前記金属製の押え部材１３が当接する受片６５を突出して形成している。また、機構板１１の裏面側に配線収納部６６が設けられており、該配線収納部６６は図９に示すように、一側内面に後述する蓋部材６７の一端を支持する支持部６８ａ及び位置決めリブ６８ｂが所定間隔に設けられ、他側壁には係止孔６９が複数箇所に形成されている。一方、蓋部材６７は、一端を補強フレーム３４を折曲して配線収納部６６に臨むように形成した押え片３４ａの下方に潜り込むように段状に形成され前記位置決めリブ６８ｂに嵌る凹欠き９７が形成され、他端には前記係止孔６９に係合する弾性係止片７０を切り溝によって形成しており、該弾性係止片７０の上端に係合解除するための操作摘み７０ａを僅かに突出させている。そして、蓋部材６７の装着は、一端を前記押え片３４ａの下面に臨むように凹欠き９７を前記位置決めリブ６８ｂに嵌合して位置決めし、弾性係止片７０を係止孔６９に係合させることで、蓋部材６７を配線収納部６６にがたつきなく装着することができる。蓋部材６７の取外しは、前記操作摘み７０ａを操作して弾性係止片７０を撓ませて係止孔６９との係合を解除して、押え片３４ａの下面から他端を外すことで簡単に取外すことができる。１８は蓋部材６７の下面に設けられ、配線が挟み込まれないように配線収納部６６に押さえ込む押えリブである。
【００２１】
また、前記開口窓６３の周囲には球タンク２６等の多くの裏機構部品が固着されている。前記球タンク２６は、図１０及び図１１に示すように上面が開口する平面略長方形の箱状に形成されたタンク本体２６ａと、板状部材２６ｂとで構成している。そして、前記板状部材２６ｂを球タンク本体２６ａ内に装着して、パチンコ球が貯留される球貯留部７１とパチンコ球を整列して流下させる球整流部７２とを区画している。前記板状部材２６ｂの上面はほぼ平坦面であり、僅かに厚みを有する枠板状に形成され、下流側に球貯留部７１のパチンコ球を球整流部７２に流出させる球導出口７３が開設されると共に、該球導出口７３の前後両側開口縁にパチンコ球の半球程度の段部により球崩し部７４が隆起して形成されている。前記球整流部７２は、前記球導出口７３の下方に位置して拡幅状に形成された球受け部７７と、該球受け部７７の下流側に連設してパチンコ球が１列又は半複列で流下する凹溝状の整流路７５と、該整流路７５に並列して段状に設けられ該整流路７５に下流側で合流するように設けられる補助通路部７６によって構成している。前記整流路７５は実施例において約１８ｍｍの通路幅としてパチンコ球が球心をずらしてランダムに流下し得るようにしている。前記補助通路部７６の下流には段状の球崩し７６ａが設けられ、該補助通路部７６のパチンコ球を製流路７５にスムーズに合流させるようにしている。なお、球受け部７７及び整流路７５には金属板が敷設されており、パチンコ球の流下による磨耗を防止すると共に静電気のアースとしての用をなす。該球タンク２６は、後述する傾斜樋７８ａと共にカバー部材６４の立壁６４ａにより下端を支持されている。
【００２２】
前記整流路７５の下流には、図２に示すように球誘導樋７８が接続され、該球誘導樋７８は開口窓６３の上方に位置する傾斜樋７８ａと開口窓６３の側方に位置する屈曲樋７８ｂとにより逆Ｌ字状に形成されている。そして、前記屈曲樋７８ｂは、一条で導かれる供給通路７９を機構板１１に対して垂直方向に屈曲させて、幅方向より奥行き幅が長くなるように機構板１１に立設して前記カバー部材６４に沿うように設けられ、その立壁６４ａにはリブ壁６４ｂを設けて該立壁６４ａを補強すると共に前記球誘導樋７８の側面の支持を確実なものとしている。また、前記球誘導樋７８の上部には配電盤８０が設けられ、多数の配線Ｈが接続され開口から前記配線収納部６６に導かれる。なお、前記球タンク２６の球導出口７３を該球タンク２６の後面壁端部又はその近傍に形成し、それに伴って前記整流路７５及び傾斜樋７８ａを前記カバー部材６４の後端近傍位置となるように設けることで、特に遊技盤５裏面上部の空間部を広くすることができ、表示装置等を大型化したり該空間部を有効活用することができる。
【００２３】
前記球誘導樋７８の下流側には、球払出装置２７が機構板１１に立設され、前記屈曲樋７８ｂと同様にカバー部材６４に沿うようにリブ壁６４ｂに支持されると共に補強フレーム３４の支持片４１に支持されている。前記球払出装置２７は、前記屈曲樋７８ｂの流下端近傍に設けられる操作部材１２３により機構板１１に係止固定され、前記操作部材１２３は、球払出装置２７を係止する係止部１２３ａと前記供給通路７９内に突入して該供給通路７９内のパチンコ球の流下を阻止する球止部１２３ｂとを有し、前記球払出装置２７を係止する位置とその係止状態を解除する位置とに変位自在に設けられ、前記球払出装置２７を係止する位置で前記球止部１２３ｂは供給通路７９から後退し、その係止状態を解除された状態で球止部１２３ａが前記供給通路７９内に突入して該供給通路７９内のパチンコ球の流下を阻止するように設けられている。球払出装置２７は、図１２に示すようにほぼパチンコ球の径に等しい薄型箱枠状のケース体８１に前記屈曲樋７８ｂの供給通路７８と連通する球通路８２と、前記球通路８２に進退自在に臨み最先のパチンコ球を制御支持する払出制御体８３と、前記払出制御体８３を駆動する電気的駆動源としてのソレノイド８４とを備え構成している。そして、前記払出制御体８３の上方に位置して鉛直面内で球荷重により回動する回転規制体８５が回動自在に設けられ、球通路８２を流下するパチンコ球の流速を制御すると共に、所定間隔をもってパチンコ球を払出制御体８３に導くようにしている。そして、前記回転規制体８５には、図１３に示すように球荷重により回転規制体８５が次第に加速されて、該払出規制体８５の回転を制御するのが難しくなるのを防止するため、より確実に回転を制御する盲動防止装置８６が設けられている。
【００２４】
球払出装置２７の動作は、ソレノイド８４の励磁により払出制御体８３を回動させて、前記打球供給皿７に導く排出通路８７に排出させるようにしている。また、払出制御体８３の下流側に球抜き装置８８を設けて、操作部材８９の操作により払出制御体８３を回動させると共に通路を球抜き通路９０に切り替えるようにしている。このように、本実施例において球誘導樋７８及び球払出装置２７を、横幅寸法より奥行幅寸法が長くなるようにほぼ一列状に設けることで、機構板１１の側方部の寸法を機枠１の内側端から５０ｍｍ程度に狭くすることができ、その分開口窓６３を横方向に大型化することができ、近年複雑化する遊技に伴って遊技盤５の表示装置等の役物が大型化かつ複雑化しても容易に対応することができる。
【００２５】
前記盲動防止装置８６は、図１３に示すように前記回転規制体８５の同軸にステンレス等の磁性体で形成された板状の回転円盤９１を回転自在に設け、円筒体のケース体９２内には前記回転円盤９１に対向位置させて電磁石９３を設けている。そして、払出制御体８３の作動に伴って前記回転規制体８５が回転し、それにともなって回転円盤９１が回転する。回転規制体８５が、パチンコ球の払出しに伴って次第に加速されると前記電磁石９３を励磁させて、回転円盤９１を吸着させて回転規制体８５の回転にブレーキをかけて、回転規制体８５を制御しやすい回転速度にするようにしている。なお、前記回転円盤９１の全体を磁性体としたが、前記電磁石９３に対向する部分のみ磁性体としてもよい。さらに、図１４に示すように回転円盤９１に払出規制体８５の歯数と同数の磁性吸着部９１ａを周方向に所定間隔で設けると共に、該吸着部９１ａ間を磁性帯９１ｂで連接して、回転円盤９１が所定位置で吸着されるようにするのが好ましい。また、回転円盤９１の形状は図上の板状に限らず、一端が開放する円筒形としてもよく、前記電磁石９３を円筒形の回転円盤９１の側壁に対応して設けるようにしてもよい。
【００２６】
また、前記開口窓６３の下方には、図２に示すように入賞球集合樋９４が設けられ、その後面を覆うようにパチンコ球の払出しを制御する払出制御基板９５及び遊技内容を制御する基板ボックス２９等の取着板３０が開閉自在に装着される。該取着板３０は金属ベースに樹脂板を介して前記基板ボックス２９等が設けられ、前記金属ベースの一端に機構板１１に軸支するヒンジ部３０ａを屈曲形成すると共に、他端には図１５に示すように機構板１１の自由端側に設けられる帯状の補強プレート９６に可動自在に設けられる可動係止板５７に係止する上向き係止フック９８を設けて、取着板３０が単独で開閉し得るように設けられる。このとき、前記取着板３０のヒンジは、図５に示すように前記補強フレーム３４に設けており、一方のヒンジは前記可動ヒンジ部材３２の軸ピン３６と同軸上又はその近傍に上向に軸ピン３７を突設し、他方のヒンジは前記可動ヒンジ部材３２と上方に所定間隔離れた個所にヒンジ板３８を設け、該ヒンジ板３８に上向に軸ピン３７を突設しており、取着板３０側に設けた軸孔３９を有するヒンジ部３０ａと連繋するようにして、取着板３０が撓まないようにすることができ、撓み防止の係止具をなくすことができる。また、前記可動ヒンジ部材３２及びヒンジ板３８の上方に、取着板３０のヒンジ部３０ａが接触しヒンジ部３０ａの軸孔３９が軸ピン３７の軸線内に位置するように位置決めするガイド部４０が形成され、機構板１１に取着板３０を容易に装着することができる。また、取着板３０を前記入賞球集合部９４側に緩やかな湾曲又は山形状として、その湾曲により機構板１１の下部を前面枠２側に圧着させることができ、取着板３０により機構板１１が後面側に撓むのを防止する効果を奏することができる。
【００２７】
前記補強プレート９６は、図６に示すように機構板１１の自由端側縁に沿って設けられ、前記係合孔５１の開口端を補強すると共に、施錠装置４３の鉤状片５２との係合具合を調整する係止板９９が一体に形成されている。そして、補強プレート９６は一部を断面Ｌ字状に形成しており、ほぼ中央に前記ガイド片６１に接触して機構板１１を所定位置に導く規制片１００が設けられている。前記補強プレート９６は、前記係止板９９及び規制片１００の上端に設けられる５ｍｍ〜１０ｍｍ程度の取着用舌片９９ａ，１００ａを機構板１１の側縁に形成される下向き袋状の挿通孔１０１に挿通して、前記規制片１００の近傍にビスを螺締することで取付けられる。また、補強プレート９６の下方には、図１５乃至図１７に示すように前記取着板３０の一端が係止する可動係止板５７が上下方向に可動し得るようにガイドピン１０３により規制されスプリング１０２より係止方向である下方に付勢されている。前記可動係止板５７には前記取着板３０の係止フック９８が係合する第一係合突片５８ａと前記固定フック５９が係合する第二係合突片５８ｂを折曲して上下に設けられている。１０４は可動係止板５７の上部に折曲して設けられ、施錠装置４３の鉤片４８が接触作用する作用片である。前記係止フック９８が第一係合突片５８ａに係合する係止量は、固定フック５９が第二係合突片５８ｂに係合する係止量より多く設定され、機構板１１が開放してから取着板３０が開放するようになっている。なお、実施例において係止フック９８及び固定フック５９が係合する第一係合突片５８ａと第二係合突片５８ｂを上下に複数設けたが一ヶ所で係止させるようにしてもよい。また、前記補強プレート９６に前記球タンク２６を締付固定する締付具等を配設して、該締付具によって球タンク２６を取着するようにしてもよい。
【００２８】
次に、上記構成の機構板１１の装着について説明する。まず、機構板１１の可動ヒンジ部材３２の端部をガイド部４０に当接させて軸ピン３７の軸線を固定ヒンジ部材３１の軸孔３５内に位置させ下方にスライドさせると、軸ピン３７が軸孔３５に挿通されて機構板１１が前面枠２に対して開閉自在に装着される。そして、機構板１１の自由端側を遊技盤５に押し付けるように閉鎖すると、補強プレート９６の規制片１００が施錠装置４３のガイド片６１に接触して機構板１１を所定高さ位置に誘導すると共に、係合孔５１に鉤状片５２が臨んで、該鉤状片５２が係止板９９に接触して一旦下向き回動し、スプリング５４ｃの付勢により鉤状片５２が復帰回動して係止板９９に係合する。そして、機構板１１の下方は固定フック５９に可動係止板５７の第二係止突片５８ｂが接触することにより、図１６一点鎖線に示すように可動係止板５７が一旦上動して第二係止突片５８ｂが固定フック５９に係合し、機構板１１が遊技盤５に密着状に固着される。そして、前面枠２を機枠１に対して閉鎖して鉤片４８が受金具１２に係止することにより、図１８に示すように、受片６５が上部枠１ｃ下面に設けられた金属製の押え部材１３の衝止片１３ａに当接して、遊技盤５の裏面との密着状態が常時確固と維持され、反りや歪みが抑止され、機構板１１の撓みを確実に防止することができる。このとき、衝止片１３ａは金属片により形成されているため弾性が付与されており、より機構板１１を前方に押圧することができる。
【００２９】
次に、機構板１１を開放させるには、まず鍵によりシリンダ錠４６を操作してカム板４７を回動させて施錠杆４５を上動させ、鉤片４８と受金具１２との係合を解除して前面枠２を開放させる。そして、操作部６２を操作して施錠杆４５を上動させて、前記鉤状片５２と係合孔５１との係合を解除すると共に、図１６一点鎖線に示すように鉤片４８が作用片１２０に接触して可動係止板５７を上動させて固定フック５９と第二係止突片５８ｂとの係合を解除して、同図二点鎖線に示すように機構板１１を簡単に開放することができる。このとき、第一係合突片５８ａと係止フック９８との係合量が第二係合突片５８ｂと固定フック５９との係合量より多いため、第一係合突片５８ａは係止フック９８に係合した状態にあり、取着板３０が無用に開放することはない。このように、機構板１１の上部は衝止片１３ａによって押圧されているだけであるため、従来のように機構板１１の開放時に何箇所も係止解除操作をすることがなく手間がかからず作業性に優れている。
【００３０】
また、前面枠２の閉鎖時に機構板１１を衝止片１３ａにより確実に押圧することで、該機構板１１を遊技盤５に密着させることができるので、前面枠２が機枠１から開放されている時には、機構板１１は多少のがたつきがあっても仮止め程度の係止力で係止されていればよい。逆に、常態で鉤状片５２及び固定フック５９と機構板１１の係止孔５１及び第二係止突片５８ｂとの係止具合に余裕（遊び）がないと、設計及び成形時に精密さが要求されることになりコスト高の要因となる。しかも、少しでも精度に誤差が生じると、強引に係止させなければならなくなり、機構板１１を閉鎖するだけの簡単な操作で係止することができず、余計に手間がかかることになる。なお、押え部材１３は機構板１１の上部に限定されることなく、機構板１１の側方又は下方に位置して設けるようにしてもよく、このように、機構板１１の側方を衝止片１３ａにより押圧係止するようにすると、回動自在に装着された機構板１１の自由端は係止具（鉤状片５２）により一箇所係止するだけで、パチンコ遊技機の使用時には機構板１１の側方が確実に固定することができるため、パチンコ遊技機の使用には何等問題となることはない。また、前記した鉤状片５２等の係止具を例えば１個に減らしたりなくしたりすることも可能となり、機構板１１の係止具も前記鉤状片５２に限らず、ナイラッチ又は弾性片等の仮止め程度の係止が可能なものであってもよい。
【００３１】
また、取着板３０の開放は、機構板１１を開放した状態で図１７一点鎖線に示すように可動係止板５７の作用片１０４を操作して該可動係止板５７を上動させ、第一係合突片５８ａと係止フック９８との係合を解除して同図二点鎖線に示すように開放させることができる。
【００３２】
なお、前記押え部材１３を金属製としたが合成樹脂により形成してもよく、好ましくは図１９に示すように該押え部材１３を機枠１に取付るための位置決めボス１３ｃを複数設けるのがよい。複数の位置決めボス１３ｃを設けることで、位置決めが確実となると共に最少のビスで押え部材１３を取付けることができ、特に位置決めボス１３ｃを前後位置に設けることで機構板１１の当接に際しても強固なものとなる。また、前記押え部材１３を、前記機枠１の側枠１ｂに設けた受金具１２と同様のものを使用すれば、押え部材１３をわざわざ別途形成することがないため、コストを大幅に削減することができる。さらに、前記衝止片１３ａに弾性を付与するのが好ましく、確実に受片６５又は機構板１１の周縁後面に当接して該機構板１１を前方に圧接させることができ、機構板１１が後方に撓むのを防止することができる。弾性付与の仕方としては、金属又は合成樹脂の素材の特性を利用しても、切り溝により弾性を付与したり別途弾性体を設けたりすればよい。この弾性体としては、例えばスプリング，ゴム，スポンジ等であり、該弾性体により衝止片を前方に付勢させたり衝止片の前面に該弾性体を設けたりして、機構板を前方に押圧させるようにするのがよい。また、機枠１を合成樹脂又はアルミ・マグネシウム等により形成して、前記押え部材１３を機枠１と一体に形成するようにしてもよい。このとき、機枠１を分割形成して、少なくとも上部枠１ｃのみを合成樹脂又はアルミ・マグネシウム等により成形するようにして、該上部枠１ｃに押え部材１３を一体に形成するようにしてもよい。さらに、ボルト・ビスを押え部材として上部枠１ｃの下面に突出させ、該ボルト・ビスにより機構板１１の周縁後面又は受片６５を前記ボルト・ビスに当接させることにより機構板１１の撓みを防止するようにしてもよい。
【００３３】
また、他の撓み防止方法として、機枠１の上部枠１ｃ下面に干渉するように、機構板１１に受片６５を突出させ、上部枠１ｃの前面側から前記受片６５を受入れて前面枠２の閉鎖時に該受片６５が当接する切溝を切削するようにしてもよい。このとき、強度的に切削量を少なくするために、切溝端に当接する受片６５を前面側に延出するようにするのが好ましい。また、施錠装置４３側においても鉤状片５２と係合孔５１との係合が緩くなると、機構板１１にがたつきが生じるため、図８に示すように前記受金具１２を屈曲延設して機構板１１の裏面端部に当接する衝止片１３ａを一体的に形成し、前面枠２の閉鎖時に該衝止片１３ａで機構板１１の周縁端部後面を押さえ込み、がたつきをなくすようにしてもよい。なお、実施例において受金具１２を屈曲して衝止片１３ａを形成したが、機構板１１の位置関係により、受金具１２の係止部１２ａと同一面に衝止片１３ａを延設するようにしてもよい。また、機構板１１の下方は、図２に示すように前記腰板１ａの上端面に設けたガイド金具１２１の一部を後方に延接すると共に、機構板１１の周縁後面（例えば余剰球排出樋又はアウト球排出樋）に当接するように衝止片１３ａを屈曲形成して、該衝止片１３ａにより機構板１１を前方に押圧するようにすればよい。このとき、ガイド金具１２１（衝止片１３ａ）はアウト球を機外に排出するアウト球タンクの邪魔にならないように設けるのが好ましい。また、機枠１のコーナー部に設けられるＬ型等の補強板又はヒンジ機構３の金具の一部を延設して機構板１１の周縁後面を押圧する衝止片を形成するようにしてもよい。
【００３４】
これまで説明した押え部材１３は、機枠１に固定的に設けるようにしたが、該押え部材１３を機枠１に着脱し得るように設けるようにしてもよい。具体的には、図２０乃至図２２に示すように例えば機枠１の上部枠１ｃ又は側枠１ｂの機構板１１の後端面に位置する任意の場所に、押え部材１３の挿通孔１１０を段状に開設している。一方、押え部材１３は上部枠１ｃ及び側枠１ｂを貫通して機構板１１の後端面に当接する長さを有し、機枠１の内方向への移動を規制する規制片１３ｄと、外向きに拡開弾性を有し挿通孔１１０端に係止して機枠１の外方向への移動（抜脱）を阻止する係止片１３ｅとを設けている。そして、押え部材１３を挿通孔１１０に挿通すると、段部に係止片１３ｅが嵌り前後方向を規制し規制片１３ｄが挿通孔１１０端に係止することにより押え部材１３が所定位置に固定される。このとき、当然のことではあるが押え部材１３は機枠１の外周から突出することはなく、規制片１３ｄにより前後方向を規制するため、衝止片１３ａが機構板１１の周縁後面に当接しても確実に機構板１１を押圧することができる。また、押え部材１３の取外しは、前記弾性係止片１３ｅを摘んで撓ませて、挿通孔１１０との係合を解除することで簡単に機枠１から取外すことができる。このように、押え部材１３を機枠１に対して着脱自在に設けることにより、パチンコ遊技機のホールへの納入前に、検査等の必要に応じて前記押え部材１３を外して、機枠１の後面側から機構板１１の開放を可能とすることできる。さらに、規制片１３ｄ及び弾性係止片１３ｅを同じ構成とし衝止片１３ａの位置を前後にずらした押え部材１３を複数種類用意して、機種毎に最適な状態で機構板１１を押圧する押え部材１３に交換することもできる。当然のことながら、押え部材１３を着脱自在に装着することで押え部材１３が破損しても簡単に交換することができ、押え部材１３の交換作業の作業性がよくなる。また、任意に押え部材１３の取付位置が変更できるように押え部材１３の取着部を形成することで、押え部材１３を最適な位置に設けることができ、しかも押え部材１３を何種類も作る必要がないため経済的である。例えば、押え部材１３の差込孔を前後方向に複数穿設するようにすればよい。さらに、衝止片１３ａを取付板に対して螺子等により移動調整自在設けるようにしてもよい。
【００３５】
なお、実施例において押え部材１３によって受片６５を押圧するようにしたが、機構板１１に受片６５を形成することなく押え部材１３によって直接機構板１１の周縁部後面を押圧するようにしてもよい。さらに、機構板１１を直接押圧することなく、機構板１１の周縁部の後面に設けられる球タンク２６，球払出装置２７等の裏機構部品を押圧するようにしてもよく、同様の効果を奏することができる。
【００３６】
また、機構板１１は前記した１枚ものであっても複数に分割形成されたものであってもよく、該機構板１１に裏機構部品として必ずしも球タンク２６を設けなくてもよい。当然のことではあるが、機構板１１を分割形成した際にはそれぞれ分割した機構板１１に対応して機枠１に機構板１１の四側（上下左右）周縁に対応して押え部材１３を設けるようにすればよい。
【００３７】
前記実施例において、機構板１１はヒンジ具２８により開閉自在に装着されたが、固定具により直接機構板１１を前面枠２に対して着脱自在に取着するようにしてもよい。図２３を参照して前記実施例と同じ構成要素には同一符号を付して説明する。なお、押え部材１３は前記実施例と同様に機構板１１のほぼ中央に位置して設けられる。そして、前記固定具は、図２３に示すように前面枠２側に取着される上下係止部材としての鉤状片５２と機構板１１側に取着される上下係合部材１１１とにより構成され、前記上下係合部材１１１は補強フレーム３４により一体的に形成されている。そして、前記補強フレーム３４に該補強フレーム３４を少なくとも一側とする配線収納部６６が設けられている。具体的には、配線収納部６６は補強フレーム６４をコ字状に屈曲して、該補強フレーム３４を機構板１１へ取着した際に一側が開口するように形成して、該開口を蓋部材１１２によって閉塞している。また、係合部材１１１には鉤状片５２が係合する係合孔１１３が開設され、該係合孔１１３を切欠して形成した切欠片１１３ａの屈曲度合いによって、前記鉤状片５２との係合度合いを調整することができる。前記鉤状片５２が設けられる連結杆１１４には操作部１１４ａが屈曲して設けられ、前面枠２に設けられる取付板１１５に対して摺動自在に配設している。一方、取付板１１５には、遊技盤５の後面を位置決めする位置決め片１１５ａが延設されている。この実施例のように、機構板１１を軸支することなく着脱自在とした際には、機構板１１の装着時に機構板１１の支点（位置決め）となるようにガイド片等の支持手段を設けるのが好ましく、該支持手段は機構板１１の装着時に機構板１１の一部を支持させて、そこを支点（位置決め）として鉤状片５２と係合孔１１３を係合させるのがよい。なお、支持手段は、機構板１１の上部を引っ掛けるようにしても、機構板１１の下部を戴置支持するようにしてもよい。このときの支持部は、好ましくは前記補強フレーム３４及び補強プレート９６と一体に設けるようにするのがよい。また、固定具は実施例に示した鉤状片５２に限定されることなく、鉤状片５２を固定的なものとして係止具により係止する等、他に様々な形態が考えられる。
【００３８】
上記のように構成した機構板１１は、補強プレート９６の規制片１００をガイド片６１に支持させて、施錠装置４３の鉤状片５２と連結杆１１４に設けた鉤状片５２とを係合孔５１，１１３に係合させることにより、機構板１１が前面枠２に対して着脱自在に装着される。そして、このように機構板１１を装着した前面枠２を、機枠１に対して閉鎖すると、押え部材１３により機構板１１が確実に押圧され、球荷重による撓みも確実に防止することができる。また、機構板１１を取外すには、前記実施例と同様に鍵により施錠装置４３を操作して前面枠２を開放し、前記操作部６２，１１４ａを操作して施錠杆４５及び連結杆１１４を上方にスライドさせることで鉤状片５２と係合孔５１，１１３との係合を外すことができ、機構板１１を取外すことができる。
【００３９】
また、前記鉤状片５２の係止解除を簡単にするために、鉤状片５２が設けられる施錠杆４５と連結杆１１４とを同時に操作し得るように、リンク部材等を介してレバー部材を設けるのが好ましい。このレバー部材を操作することにより、施錠杆４５と連結杆１１４とが同時に可動して、鉤状片５２と係合孔５１，１１４との係合を一挙に解除することができ、機構板１１の取外しが簡単に行われる。また、前記鉤状片５２は機構板１１側に設けるようにしてもよく、このとき該鉤状片５２の係止部は基板４４及び取付板１１５に配設すればよい。
【００４０】
なお、前記カバー部材６４は上記実施例に限られるものではなく、カバー部材６４全体を機構板１１と別体に形成しても、カバー部材６４の立壁６４ａを機構板１１と一体に形成し、その後面を閉塞する蓋部を別体に形成するようにしてもよい。なお、カバー部材６４の下面の立壁６４ａは必ずしも設けなければならないものではなく、少なくとも上面及び側面があれば強度を保持することができる。つまり、立壁６４ａは下向きコ字状か逆Ｌ字状であればよく、側面の立壁６４ａを一側とした際には球払出装置２７側の一側とするのが好ましい。このとき、他側は蓋部と共に開閉自在又は着脱自在に設けるようにすればよい。また、前記カバー部材６４の側方に位置する球誘導樋７８及び球払出装置２７を、カバー部材６４の立壁６４ａに沿うように直接取着するようにしてもよい。前記カバー部材６４を機構板１１と別体に形成した際には、該カバー部材６４が球誘導樋７８及び球払出装置２７を備えたユニットとすることができる。なお、前記球誘導樋７８及び球払出装置２７の供給通路７９及び球通路８２の少なくとも一部をカバー部材６４に設けるようにしてもよい。また、球払出装置２７の配線を収納する配線収納部をカバー部材６４に沿って設けるようにしてもよく、好ましくは球誘導樋７８及び球払出装置２７の後面に位置させて、球誘導樋７８及び球払出装置２７の後面を保護するように設けるのがよい。なお、予め球誘導樋７８及び球払出装置２７をユニット化したユニットベースをカバー部材６４に取付けるようにしてもよいのはいうまでもなく、前記ユニットベースに球誘導樋７８及び球払出装置２７を覆う保護カバーを設けるようにしてもよい。さらに、ユニットベースに前記カバー部材６４の蓋部を係止する係止部を形成するのが好ましい。
【００４１】
なお、前記遊技盤取付枠４に沿って設けられる前記連結部材３３及び前記施錠装置４３の基板４４を、遊技盤取付枠４を直接構成する一部又は一側としてもよい。さらに、該連結部材３３及び施錠装置４３の基板４４に、遊技盤５を遊技盤取付枠４に前面又は後面から装着する際の位置決めとなる規制片を延設するようにしてもよく、好ましくは遊技盤５に当接する規制片の当接面に弾性片を設けて、遊技盤５を圧接させるようにするのがよい。このとき、基板４４及び連結部材３３が遊技盤取付枠４の角部を構成するように、該基板４４及び連結部材３３を正面Ｌ字状又はコ字状に形成してもよい。なお、前記規制片を波状としたり、規制片にスリットを設けて僅かに起こして該規制片に直接弾性片を形成するようにしてもよい。さらに、前記基板４４及び連結部材３３に遊技盤５の固定具を取付ける取着部を延設又は形成するようにしてもよく、該取着部に固定具をビスにより回動自在に設けるようにすればよい。このように、施錠装置４３の近傍に位置する付随具（位置規制片，固定具の取着部等）を該施錠装置４３に設けるようにすることで、加工組立てが容易になり、コスト的にも削減することができる。
【００４２】
なお、実施例においてパチンコ遊技機を、所謂「フィーバー機」として説明したが、本願のいう「パチンコ遊技機」とは遊技媒体としてパチンコ球を使用して遊技をするものであり、実施例に示した「フィーバー機」又は「アレパチ」等のように遊技盤面にパチンコ球を打ち込む弾球遊技機の他に、コインの替わりにパチンコ球を賭球として使用する「スロット遊技機」をも含むものである。
【図面の簡単な説明】
【００４３】
【図１】パチンコ遊技機の正面図である。
【図２】パチンコ遊技機の裏面図である。
【図３】前面枠を開放した状態を示す裏面斜視図である。
【図４】ガラス扉枠を開放し遊技盤を取外した状態の斜視図である。
【図５】ヒンジ具の分解斜視図である。
【図６】施錠装置部分の要部斜視図である。
【図７】施錠装置の分解斜視図である。
【図８】施錠装置部分の要部断面図である。
【図９】配線収納部の要部分解斜視図である。
【図１０】球タンク部分の断面図である。
【図１１】球タンクの平面図である。
【図１２】球誘導樋及び球払出装置の側断面図である。
【図１３】盲動防止装置の断面図である。
【図１４】他の盲動防止装置の断面図である。
【図１５】機構板及び取着板の施錠具の分解斜視図である。
【図１６】機構板の開放を示す作用説明図である。
【図１７】取着板の開放を示す作用説明図である。
【図１８】機構板の係止状態を示す要部断面図である。
【図１９】衝止片の他の実施例を示す斜視図である。
【図２０】さらに衝止片の他の実施例を示す斜視図である。
【図２１】図２０の正面断面図である。
【図２２】図２０の側断面図である。
【図２３】機構板の固定具による取付を示す要部斜視図である。
【符号の説明】
【００４４】
１          機枠
２          前面枠
１１        機構板
１２        受金具（係合部材）
１３        押え部材
１３ａ      衝止片
４３        施錠装置
５２        鉤状片（係止部材）
【図１】
2005204842.tif 000003
【図２】
2005204842.tif 000004
【図３】
2005204842.tif 000005
【図４】
2005204842.tif 000006
【図５】
2005204842.tif 000007
【図６】
2005204842.tif 000008
【図７】
2005204842.tif 000009
【図８】
2005204842.tif 000010
【図９】
2005204842.tif 000011
【図１０】
2005204842.tif 000012
【図１１】
2005204842.tif 000013
【図１２】
2005204842.tif 000014
【図１３】
2005204842.tif 000015
【図１４】
2005204842.tif 000016
【図１５】
2005204842.tif 000017
【図１６】
2005204842.tif 000018
【図１７】
2005204842.tif 000019
【図１８】
2005204842.tif 000020
【図１９】
2005204842.tif 000021
【図２０】
2005204842.tif 000022
【図２１】
2005204842.tif 000023
【図２２】
2005204842.tif 000024
【図２３】
2005204842.tif 000025